【手続補正書】
【提出日】平成29年7月28日(2017.7.28)
【手続補正１】
【補正対象書類名】特許請求の範囲
【補正対象項目名】全文
【補正方法】変更
【補正の内容】
【特許請求の範囲】
【請求項１】
複数の階層に基づいて、動画像を構成する各フレームを符号化することが可能な画像処理装置であって、
符号化対象のフレームに対応する階層を示す情報を取得する取得手段と、
前記取得手段によって取得された情報に基づいて、動画像を構成する各フレームを符号化する符号化手段と、
前記符号化手段によって符号化された動画像の符号化データを送信する送信手段と
を有し、
前記複数の階層に含まれる第１の階層に対応するフレーム群によって、第１のフレームレートの動画像を構成可能であり、
前記第１の階層に対応するフレーム群と、前記第１の階層とは異なる第２の階層に対応するフレーム群とによって前記第１のフレームレートよりも高い第２のフレームレートの動画像を構成可能であり、
前記符号化手段は、
前記取得手段によって取得された情報に基づいて、
符号化対象のフレームが前記第２の階層に対応する場合、その符号化対象のフレームの符号化処理において、符号化された動画像のビットレートを、第１のビットレート以下とするための制限を行い、
符号化対象のフレームが前記第１の階層に対応する場合、その符号化対象のフレームの符号化処理において、符号化された動画像のビットレートを前記第１のビットレート以下とするための制限を行わずに、
前記動画像を構成する各フレームを符号化する
ことを特徴とする画像処理装置。
【請求項２】
符号化対象のフレームが前記第１の階層に対応する場合、その符号化対象のフレームの符号化処理において、符号化対象のフレームより前に符号化された１以上の過去フレームのビットレートに基づかない符号化パラメータを用いる
ことを特徴とする請求項１に記載の画像処理装置。
【請求項３】
前記符号化手段は、符号化対象のフレームより前に符号化された１以上の過去フレームのビットレートに基づく符号化パラメータを用いて、符号化対象のフレームを符号化することで、前記第１のビットレート以下とするための制限を行う
ことを特徴とする請求項１又は２に記載の画像処理装置。
【請求項４】
前記１以上の過去フレームのビットレートに基づく符号化パラメータは、前記１以上の過去のフレームの符号化後のデータ量に基づく符号化パラメータである
ことを特徴とする請求項３に記載の画像処理装置。
【請求項５】
前記１以上の過去フレームのビットレートに基づく符号化パラメータは、前記１以上の過去のフレームのうちのいずれかを符号化するために用いた符号化パラメータである
ことを特徴とする請求項３又は４に記載の画像処理装置。
【請求項６】
前記符号化パラメータは量子化パラメータを含む
ことを特徴とする請求項２〜５のいずれか１項に記載の画像処理装置。
【請求項７】
前記符号化手段は、前記第１の階層のフレームの符号化時のビットレートが、前記第１のビットレートよりも大きい場合に、前記第２の階層のフレームの符号化時のビットレートが、前記第１のビットレート以下になるように、前記第２の階層のフレームを符号化する
ことを特徴とする請求項１〜６のいずれか１項に記載の画像処理装置。
【請求項８】
前記符号化対象のフレームに対応する階層に属するフレーム群をビットレート制御するための制御方法を決定する決定手段を有し、
前記決定手段は、
前記符号データを伝送する通信経路の実際のビットレートである実効伝送レートに基づいて階層ごとにビットレートを制御する方法、
目標の画質に基づいて階層ごとにビットレートを制御する方法、
符号化データを受信する装置における記憶手段の記憶可能な残量に基づいて階層ごとにビットレートを制御する方法、及び
送信対象の符号化データを記憶する送信バッファの蓄積量に基づいてビットレートを制御する方法のうち、
少なくともいずれか１つを前記制御方法として決定する
ことを特徴とする請求項１〜７のいずれか１項に記載の画像処理装置。
【請求項９】
前記決定手段は、前記取得手段によって取得された情報に基づいて、前記符号化対象のフレームを符号化するためのビットレート制御の方法を決定し、当該ビットレート制御の方法に基づいて、前記符号化対象のフレームを符号化するための符号化パラメータを決定する
ことを特徴とする請求項１〜８のいずれか１項に記載の画像処理装置。
【請求項１０】
前記第１のビットレートは、符号化対象のフレームを符号化した符号データを伝送する通信経路の実際のビットレートである実効伝送レートである
ことを特徴とする請求項１〜９のいずれか１項に記載の画像処理装置。
【請求項１１】
複数の階層に基づいて、動画像を構成する各フレームを符号化することが可能な画像処理方法であって、
符号化対象のフレームに対応する階層を示す情報を取得する取得工程と、
前記取得工程において取得された情報に基づいて、動画像を構成する各フレームを符号化する符号化工程と、
前記符号化工程において符号化された動画像の符号化データを送信する送信工程と
を有し、
前記複数の階層に含まれる第１の階層に対応するフレーム群によって、第１のフレームレートの動画像を構成可能であり、
前記第１の階層に対応するフレーム群と、前記第１の階層とは異なる第２の階層に対応するフレーム群とによって前記第１のフレームレートよりも高い第２のフレームレートの動画像を構成可能であり、
前記符号化工程において、
前記取得工程において取得された情報に基づいて、
符号化対象のフレームが前記第２の階層に対応する場合、その符号化対象のフレームの符号化処理において、符号化された動画像のビットレートを、第１のビットレート以下とするための制限を行い、
符号化対象のフレームが前記第１の階層に対応する場合、その符号化対象のフレームの符号化処理において、符号化された動画像のビットレートを前記第１のビットレート以下とするための制限を行わずに、
前記動画像を構成する各フレームを符号化する
ことを特徴とする画像処理方法。
【請求項１２】
コンピュータを、請求項１〜１０のいずれか１項に記載の画像処理装置の各手段として機能させるためのプログラム。
【手続補正２】
【補正対象書類名】明細書
【補正対象項目名】００１２
【補正方法】変更
【補正の内容】
【００１２】
上述の課題を解決するため、本発明の画像処理装置は、以下の構成を有する。即ち、複数の階層に基づいて、動画像を構成する各フレームを符号化することが可能な画像処理装置であって、符号化対象のフレームに対応する階層を示す情報を取得する取得手段と、前記取得手段によって取得された情報に基づいて、動画像を構成する各フレームを符号化する符号化手段と、前記符号化手段によって符号化された動画像の符号化データを送信する送信手段とを有し、前記複数の階層に含まれる第１の階層に対応するフレーム群によって、第１のフレームレートの動画像を構成可能であり、前記第１の階層に対応するフレーム群と、前記第１の階層とは異なる第２の階層に対応するフレーム群とによって前記第１のフレームレートよりも高い第２のフレームレートの動画像を構成可能であり、前記符号化手段は、前記取得手段によって取得された情報に基づいて、符号化対象のフレームが前記第２の階層に対応する場合、その符号化対象のフレームの符号化処理において、符号化された動画像のビットレートを、第１のビットレート以下とするための制限を行い、符号化対象のフレームが前記第１の階層に対応する場合、その符号化対象のフレームの符号化処理において、符号化された動画像のビットレートを前記第１のビットレート以下とするための制限を行わずに前記動画像を構成する各フレームを符号化する。